(57)【要約】【課題】無人契約機を用いて複数の証明書を必要とする契約を行う場合に、その取引時間を短縮する手段を提供する。【解決手段】無人契約機１が、記憶部１２に一般的な証明書に対応させて証明書のサイズ情報を記した証明書サイズ情報テーブルを格納しておき、顧客により入力された複数の証明書の選択入力を受付けたときに、証明書サイズ情報テーブルから、それぞれの証明書のサイズ情報を読出し、これらのサイズ情報を基にそれぞれの証明書画像を読取る座標領域を設定し、設定した座標領域を表示して複数の証明書がスキャナ１４にセットされたときに、複数の証明書の証明書画像を読取って複合証明書画像を取得し、これにそれぞれの座標領域を添付した証明書情報をオペレータ端末２へ送信し、オペレータ端末２は無人契約機１からの証明書情報を受信したときに、受信した証明書情報の複合証明書画像を添付されている座標領域を基にそれぞれの証明書画像に切分けて表示部２３に表示する。【選択図】        図１
2008197833.tif 000002
【特許請求の範囲】
【請求項１】
オペレータが操作するオペレータ端末と、顧客が操作する無人契約機とを接続した無人契約システムにおいて、
前記無人契約機は、
一般的な証明書に対応させて、その証明書のサイズ情報を格納する証明書サイズ情報格納手段と、
顧客の身分を証明する複数の証明書の選択入力を受付ける手段と、
該選択された複数の証明書を基に、前記証明書サイズ情報格納手段から、それぞれの証明書のサイズ情報を読出す手段と、
該読出したそれぞれのサイズ情報を基に、それぞれの証明書画像を読取る座標領域を設定する手段と、
該設定した座標領域を表示する手段と、
該表示された座標領域に従ってセットされた複数の証明書の証明書画像を読取って複合証明書画像を取得する手段と、
該取得した複合証明書画像に、前記設定したそれぞれの座標領域を添付した証明書情報を、前記オペレータ端末へ送信する手段と、を備え、
前記オペレータ端末は、
前記無人契約機からの前記証明書情報を受信する手段と、
該受信した証明書情報の複合証明書画像を、前記座標領域を基にそれぞれの証明書画像に切分ける手段と、
該切分けた複数の証明書画像をそれぞれ表示する手段と、を備えることを特徴とする無人契約システム。
【請求項２】
請求項１において、
前記無人契約機は、
前記選択された複数の証明書の少なくとも一つが、複数のサイズ情報が設定された一般的な証明書の場合に、該証明書のサイズの選択入力を受付ける手段を備えることを特徴とする無人契約システム。
【請求項３】
請求項１において、
前記無人契約機は、
前記選択された複数の証明書の少なくとも一つが、一般的でない証明書の場合に、該証明書のサイズ情報の設定を要求するサイズ設定要求を、前記オペレータ端末へ送信する手段と、
前記オペレータ端末から、前記一般的でない証明書のサイズ情報を受信する手段と、を備え、
前記オペレータ端末は、
前記無人契約機からの前記サイズ設定要求を受信する手段と、
該サイズ設定要求を基に設定された証明書サイズの入力を受付ける手段と、
該受付けた前記一般的でない証明書のサイズ情報を、前記無人契約機へ送信する手段と、を備えることを特徴とする無人契約システム。
【請求項４】
オペレータが操作するオペレータ端末に接続し、顧客が操作して無人による契約取引を行う無人契約機において、
一般的な証明書に対応させて、その証明書のサイズ情報を格納する証明書サイズ情報格納手段と、
顧客の身分を証明する複数の証明書の選択入力を受付ける手段と、
該選択された複数の証明書を基に、前記証明書サイズ情報格納手段から、それぞれの証明書のサイズ情報を読出す手段と、
該読出したそれぞれのサイズ情報を基に、それぞれの証明書画像を読取る座標領域を設定する手段と、
該設定した座標領域を表示する手段と、
該表示された座標領域に従ってセットされた複数の証明書の証明書画像を読取って複合証明書画像を取得する手段と、
該取得した複合証明書画像に、前記設定したそれぞれの座標領域を添付した証明書情報を、前記オペレータ端末へ送信する手段と、を備えることを特徴とする無人契約機。
【請求項５】
請求項４において、
前記選択された複数の証明書の少なくとも一つが、複数のサイズ情報が設定された一般的な証明書の場合に、該証明書のサイズの選択入力を受付ける手段を備えることを特徴とする無人契約機。
【請求項６】
請求項４において、
前記選択された複数の証明書の少なくとも一つが、一般的でない証明書の場合に、該証明書のサイズ情報を、前記オペレータ端末から取得する手段を備えることを特徴とする無人契約機。
【発明の詳細な説明】
【技術分野】
【０００１】
本発明は、金融機関に設置されている無人契約機を用いて口座開設やローンの申込み等契約を行う場合に用いる無人契約システムおよびその無人契約機に関する。
【背景技術】
【０００２】
従来の無人契約システムは、金融機関のセンタにオペレータが操作するオペレータ端末を設置して各営業店等に設置された無人契約機に接続し、通信により無人契約機を用いて顧客との契約を行う場合において、顧客の身分を証明する証明書の画像を読取るときに、無人契約機は、顧客に持参した証明書を選択させ、選択された証明書の種類をオペレータ端末へ送信し、オペレータは、通常用いられる免許証等の証明書の場合はオペレータ端末の選択画面から該当する証明書のサイズを選択し、証明書が社員証等の通常用いられる証明書でない場合は、オペレータが顧客と通話してその種類およびサイズを確認し、確認したサイズを選択してオペレータ端末に入力し、これを受付けたオペレータ端末は選択されたサイズに対応した読取範囲を記憶部から読出し、これを無人契約機へ送信し、無人契約機は受信した読取範囲に基づいて証明書の画像の読取りを行っている。
【０００３】
この場合に、複数の証明書を読取るときは、それぞれの証明書について前記の動作を繰り返している（例えば、特許文献１参照。）。
【特許文献１】特開２００５−１３０４０７号公報（主に、第４頁段落００１５−第５頁段落００２３、第４図）
【発明の開示】
【発明が解決しようとする課題】
【０００４】
しかしながら、上述した従来の技術においては、複数の証明書を読取るときに、無人契約機は、複数の証明書について、それぞれ顧客に証明書の種類を選択させ、オペレータが入力したサイズに対応した読取範囲を受信して、１枚ずつ証明書の画像を読取っているため、複数の証明書の提出を義務付けている金融機関の場合には、複数の証明書毎に読取動作を繰り返すことが必要になり、契約における取引時間が増加して無人契約機の稼動効率が低下するという問題がある。
【０００５】
本発明は、上記の問題点を解決するためになされたもので、無人契約機を用いて複数の証明書を必要とする契約を行う場合に、その取引時間を短縮する手段を提供することを目的とする。
【課題を解決するための手段】
【０００６】
本発明は、上記課題を解決するために、オペレータが操作するオペレータ端末と、顧客が操作する無人契約機とを接続した無人契約システムにおいて、前記無人契約機は、一般的な証明書に対応させて、その証明書のサイズ情報を格納する証明書サイズ情報格納手段と、顧客の身分を証明する複数の証明書の選択入力を受付ける手段と、該選択された複数の証明書を基に、前記証明書サイズ情報格納手段から、それぞれの証明書のサイズ情報を読出す手段と、該読出したそれぞれのサイズ情報を基に、それぞれの証明書画像を読取る座標領域を設定する手段と、該設定した座標領域を表示する手段と、該表示された座標領域に従ってセットされた複数の証明書の証明書画像を読取って複合証明書画像を取得する手段と、該取得した複合証明書画像に、前記設定したそれぞれの座標領域を添付した証明書情報を前記オペレータ端末へ送信する手段とを備え、前記オペレータ端末は、前記無人契約機からの前記証明書情報を受信する手段と、該受信した証明書情報の複合証明書画像を、前記座標領域を基にそれぞれの証明書画像に切分ける手段と、該切分けた複数の証明書画像をそれぞれ表示する手段と、を備えることを特徴とする。
【発明の効果】
【０００７】
これにより、本発明は、証明書画像の読取り回数を減少させることができると共に、一般的な証明書の読取領域を設定するためのオペレータ端末との交信時間を不要にすることができ、複数の証明書を必要とする契約処理の取引時間を短縮することができるという効果が得られる。
【発明を実施するための最良の形態】
【０００８】
以下に、図面を参照して本発明による無人契約システムの実施例について説明する。
【実施例１】
【０００９】
図１は実施例１のシステム構成を示すブロック図、図２は無人契約機の外観を示す斜視図である。
図１、図２において、１は無人契約機であり、銀行や消費者金融等の金融機関の営業店の無人コーナーや無人ブース等の店舗に設置されており、顧客が操作して金融機関との契約や、契約後の借入れ等の各種の取引を行うために使用する。
【００１０】
２はオペレータ端末であり、金融機関のセンタに設置されており、金融機関の応対担当者等のオペレータが操作して顧客との取引およびその際の通話等を行うために使用する。
オペレータ端末２は専用回線やＩＳＤＮ（Ｉｎｔｅｇｒａｔｅｄ  Ｓｅｒｖｉｃｅ  Ｄｉｇｉｔａｌ  Ｎｅｔｗｏｒｋ）、電話回線等の通信ネットワーク３を介して無人契約機１と接続しており、相互にデータ通信可能に構成されている。
【００１１】
１１は無人契約機１の制御部であり、通信ネットワーク３を介してオペレータ端末２と接続しており、無人契約機１の各部を制御して顧客との間の契約処理等を実行する共にデータ通信等も制御する。
１２は記憶部であり、制御部１１が実行するプログラムや制御部１１による処理結果等が格納される。
【００１２】
１３は操作表示部であり、ＣＲＴまたはＬＣＤ等の表示画面１３ａとタッチパネル等の入力手段の組合せ等で構成されており、各種の選択画面や入力画面、顧客の処置を促す画面等を表示する一方、入力手段により顧客からの入力を受付ける。
１４は証明書読取部としてのスキャナであり、免許証や健康保険証等の顧客の身分を証明する証明書の画像を読取る機能を有している。
【００１３】
本実施例のスキャナ１４は、その読取面１４ａがＡ４判の大きさに形成され、読取面１４ａを保護するためのカバーが設けられており、顧客がカバーの閉作動させたことにより制御部１１は証明書がセットされたことを認識するようになっている。
なお、図２に示すスキャナ１４は、カバーを取外した状態で示してある。
１５は帳票読取印刷部であり、申込書や契約書等の帳票の画像を読取る機能および契約書の写し等を印刷する機能を有している。
【００１４】
１６はカード発行部であり、新規口座を開設した顧客に取引に使用するカードを作成して発行する機能を有している。
１７は撮影部であり、無人契約機１に設置され、顧客の顔画像等を撮影することができるカメラを備えている。
１８は顧客通話部であり、オペレータからの呼掛け等を報知するためのスピーカ１８ａとオペレータとの対話を行うためのマイクとスピーカを有するハンドセット１８ｂ等で構成されている。
【００１５】
２１はオペレータ端末２の制御部であり、通信ネットワーク３を介して無人契約機１と接続しており、オペレータ端末２の各部を制御する共にデータ通信等も制御する。
２２は記憶部であり、制御部２１が実行するプログラムや制御部２１による処理結果等が格納される。
２３は表示部であり、ＣＲＴまたはＬＣＤ等の表示画面が設けられており、無人契約機１から送信される顧客の顔画像や証明書や帳票の画像を表示すると共にオペレータが行う業務の選択画面等を表示する機能を有している。
【００１６】
２４は入力部であり、キーボードやマウス等によって構成されており、オペレータが操作して選択入力や契約等に必要な必要事項の入力等を行う。
２５はオペレータ通話部であり、オペレータが顧客と対話するためマイクとスピーカを有するヘッドセット等で構成されている。
上記の無人契約機１の記憶部１２には、顧客が選択した取引の入力を受付け、これを基にオペレータ端末と交信して顧客との取引を自動で行う機能等を有する通常の業務処理プログラムに、契約時の証明書の画像を読取るときに、顧客が持参した複数種類（本実施例では、２種類）の証明書画像の座標領域を設定し、これに従ってセットされた２種類の証明書の証明書画像を同時に読取って複合証明書画像を取得し、これをオペレータ端末２へ送信する機能等を有する証明書画像読取処理プログラム等が追加された無人機処理実行プログラムが予め格納されており、制御部１１が実行する無人機処理実行プログラムのステップにより本実施例の無人契約機１のハードウェアとしての各機能手段が形成される。
【００１７】
また、記憶部１２には、免許証や健康保険証、キャッシュカード等の一般的な証明書の証明書名に対応させて、その大きさを示すサイズ情報を記した証明書サイズ情報テーブルが予め格納されている。
本実施例の証明書サイズ情報テーブルには、証明書の証明書名が４つの証明書サイズに分類されて記されており、証明書サイズとしてのカードサイズには、一般にカード型として用いられる、免許証、健康保険証、社員証、キャッシュカード、クレジットカード等が分類され、証明書サイズとしての保険証３面サイズには、３つ折り型としても用いられる健康保険証が分類され、証明書サイズとしてのパスポートサイズには、パスポートが分類され、証明書サイズとしてのＡ４サイズには、給与明細が分類されている。
【００１８】
また、カードサイズには、そこに分類された全ての証明書を含む大きさを示すサイズ情報（本実施例では、その大きさを構成する矩形の短辺および長辺の長さ）、保険証３面サイズには３つ折りの健康保険証を広げたときの大きさを示すサイズ情報、パスポートサイズにはパスポートを広げた大きさを示すサイズ情報、Ａ４サイズにはＡ４判の大きさを示すサイズ情報がそれぞれ記されている。
【００１９】
前記のように、本実施例の健康保険証には、カードサイズと保険証３面サイズの２種類のサイズ情報が設定されている。
上記のオペレータ端末２の記憶部２２には、取引を行う顧客の顔画像の表示や、無人契約機１から送信された申込書や証明書の画像の表示、顧客との通話等を行うと共に、無人契約機１から送信された複合証明書画像をそれぞれの証明書画像に切分ける機能等を有する端末処理実行プログラムが予め格納されており、制御部２１が実行する端末処理実行プログラムのステップにより本実施例のオペレータ端末２のハードウェアとしての各機能手段が形成される。
【００２０】
また、記憶部２２には、カードサイズ等の証明書サイズに対応させて、無人契約機１の記憶部１２に格納されている証明書サイズ情報テーブルと同様のサイズ情報を記した証明書サイズテーブルが予め格納されている。
上記の構成の作用について説明する。
本実施例の無人契約システムにおいて、無人契約機１の制御部１１は、「口座開設」ボタンや「ローン申込」ボタン等の取引選択ボタン等を表示した取引選択画面を操作表示部１３の表示画面１３ａに表示して待機しており、顧客は取引選択画面から所望の取引を選択してその取引選択ボタンを押下する。
【００２１】
本実施例では、顧客が新規口座の開設を選択し、その契約のために「口座開設」ボタンを押下した場合の契約処理について説明する。
「口座開設」ボタンが押下されると、これを操作表示部１３の入力手段により受付けた無人契約機１の制御部１１は、押下された取引選択ボタンによりその取引名を認識すると共に、センタのオペレータ端末２との通信ネットワーク３を介した通信を接続し、認識した取引名および撮影部１７が撮影した顧客の映像を送信し、これを受信したオペレータ端末２の制御部２１は、その取引名および顧客の映像を表示部２３の画面に表示して契約処理が開始される。
【００２２】
契約処理が開始されると、無人契約機１の制御部１１は、操作表示部１３に顧客の氏名や生年月日、性別等の個人情報を入力するための個人情報入力画面を表示し、顧客が入力した個人情報をオペレータ端末２へ送信する。
次いで、制御部１１は、操作表示部１３に申込書の記入要領や記入後の申込書の送付要領等を表示し、顧客はこれに従って申込書に必要事項を記入して帳票読取印刷部１５にセットし、制御部１１は帳票読取印刷部１５によってその申込書の画像を読取り、これをオペレータ端末２へ送信し、オペレータ端末２の制御部２１は、これを表示部２３に表示し、オペレータは入力部２４により申込書の記入内容を入力して確認操作を行う。
【００２３】
この確認操作を認識した制御部２１は、申込書の確認を終えた旨を申込書確認通知として無人契約機１へ送信し、受信した無人契約機１の制御部１１は、証明書画像読取処理プログラムにより、本実施例の無人契約システムにおける証明書画像取得処理を開始する。
以下に、図３に示す流れ図を用い、ステップに従って本実施例の無人契約システムの証明書画像取得処理について説明する。
【００２４】
なお、ステップ名は、無人契約機１の場合をＳで、オペレータ端末２の場合をＳＡで示す。
Ｓ１、証明書画像取得処理を開始した無人契約機１の制御部１１は、操作表示部１３の表示画面１３ａに、図４に示す持参証明書選択画面を表示する。
持参証明書選択画面には、そのボタン表示エリア３１に、免許証（自動車運転免許証）、健康保険証、パスポート、社員証、キャッシュカード、クレジットカード、給与明細等の一般的な証明書のボタン、住民票や納税証明書等の一般的でない証明書を持参したときに押下する「その他」ボタン等の証明書選択ボタン、および証明書の選択を訂正するときに押下する「やり直し」ボタン等が表示されると共に、選択された証明書の表示欄３２および選択の終了を指示するための「確認」ボタン等が表示される。
【００２５】
顧客は、持参した２種類の証明書の証明書選択ボタンを順に押下し、「確認」ボタンを押下する。
Ｓ２、「確認」ボタンの押下により証明書の選択入力を受付けた制御部１１は、押下された証明書選択ボタンによりそれぞれの証明書名を認識し、これらを基に記憶部１２に格納されている証明書サイズ情報テーブルから該当する証明書が分類された証明書サイズのサイズ情報を読出す。
【００２６】
Ｓ３、選択された証明書のそれぞれのサイズ情報を読出した制御部１１は、健康保険証のように２つ以上の証明書サイズに分類されている証明書や、「その他」として入力された証明書が存在する場合は、サイズ不明の証明書の存在を判定してステップＳ４へ移行する。
選択された証明書のそれぞれのサイズ情報が全て設定されている場合は、選択された証明書のサイズ情報を全て認識してステップＳ９へ移行する。
【００２７】
Ｓ４、サイズ不明の証明書の存在を判定した制御部１１は、選択された証明書の中に「その他」の証明書が含まれている場合はステップＳ５へ移行する。選択された証明書の中に「その他」の証明書が含まれていない場合は、ステップＳ８へ移行する。
Ｓ５、選択された証明書の中に「その他」の証明書が含まれていることを認識した制御部１１は、その証明書のサイズ情報を取得するために、証明書のサイズ設定を要求する旨を記したサイズ設定要求を、通信ネットワーク３を介してオペレータ端末２へ送信する。
【００２８】
ＳＡ１、無人契約機１からのサイズ設定要求の着信を待って待機していたオペレータ端末２の制御部２１は、サイズ設定要求を受信したときにステップＳＡ２へ移行する。サイズ設定要求を受信しない場合は、前記およびステップＳＡ３の待機を継続する。
ＳＡ２、サイズ設定要求を受信した制御部２１は、その旨を表示部２３に表示する。
オペレータがその表示内容を確認して入力部２４により確認操作を行うと、これを検知した制御部２１は、表示部２３の画面に、カードサイズ、保険証３面サイズ、パスポートサイズ、Ａ４サイズのそれぞれの証明書サイズの選択ボタンを表示すると共に、オペレータ通話部２５と無人契約機１の顧客通話部１８とを通信可能に接続する。
【００２９】
オペレータは、オペレータ端末２のオペレータ通話部２５のヘッドセットにより無人契約機１の顧客通話部１８のスピーカ１８ａから音声等で顧客にハンドセット１８ｂを用いるように指示し、顧客に「その他」と入力した証明書の種類とその大きさを問合せ、その大きさに該当する証明書サイズを入力部２４により選択する。この場合に証明書サイズがカードサイズ、保険証３面サイズ、パスポートサイズに該当しない場合は、Ａ４サイズが選択される。
【００３０】
オペレータが選択した証明書サイズの入力を受付けた制御部２１は、入力された証明書サイズを基に、記憶部２２に格納されている証明書サイズテーブルから、該当する証明書サイズのサイズ情報を読出し、これを通信ネットワーク３を介して送信元の無人契約機１へ送信する。
Ｓ６、オペレータ端末２からのサイズ情報の着信を待って待機していた無人契約機１の制御部１１は、サイズ情報を受信したときにステップＳ７へ移行する。サイズ情報を受信しない場合は、前記の待機を継続する。
【００３１】
Ｓ７、「その他」の証明書のサイズ情報を受信した制御部１１は、「その他」の証明書のサイズ情報を記憶部１２に一時保存し、証明書サイズが２つ以上設定されているサイズ不明の証明書が存在する場合は、ステップＳ８へ移行する。サイズ不明の証明書が存在しない場合は、選択された証明書のサイズ情報を全て認識してステップＳ９へ移行する。
Ｓ８、証明書サイズが２つ以上設定されているサイズ不明の証明書が存在することを認識した制御部１１は、操作表示部１３の表示画面１３ａに、図５に示す証明書サイズ選択画面を表示する。
【００３２】
証明書サイズ選択画面には、サイズを選択すべき証明書の名称（図５の例では健康保険証）、ボタン表示エリア３１に、カードサイズ、保険証３面サイズ、パスポートサイズ、Ａ４サイズのそれぞれの証明書サイズのサイズ選択ボタン、および証明書の選択を訂正するときに押下する「やり直し」ボタン等が表示されると共に、選択された証明書サイズの表示欄３３および選択の終了を指示するための「確認」ボタン等が表示される。
【００３３】
顧客は、表示された証明書のサイズ選択ボタンを押下して「確認」ボタンを押下する。
「確認」ボタンの押下により、証明書サイズの選択入力を受付けた制御部１１は、押下されたサイズ選択ボタンによりその証明書サイズを認識し、これを基に記憶部１２の証明書サイズ情報テーブルから該当する証明書サイズのサイズ情報を読出し、選択された証明書のサイズ情報を全て認識してステップＳ９へ移行する。
【００３４】
Ｓ９、選択された証明書のサイズ情報を全て認識した制御部１１は、スキャナ１４により選択された複数の証明書を読取るための読取面の座標領域の設定を行う。
すなわち、制御部１１は、選択された２つの証明書のサイズ情報を比較し、大小が存在する場合は、大きい方のサイズ情報の短辺、長辺により構成される矩形の周囲に所定の余裕代（本実施例では５ｍｍ）を加え、その矩形の長辺をスキャナ１４の読取面１４ａの長手方向に沿わせて、４隅のそれぞれの座標を算出し、スキャナ１４の読取面の手前側右隅を基点として、そこに算出された一の隅の座標を一致させ、座標変換により他の３隅の座標を求めて４隅の座標からなる座標領域を設定し、同様にして小さい方の基点をスキャナ１４の読取面の奥側右隅としてその座標領域を設定する（図６〜図８参照）。
【００３５】
Ｓ１０、そして、制御部１１は、設定された各座標領域の短辺の長さを加えた複合長さと、スキャナ１４の読取面１４ａの短辺長さとを比較し、複合長さが短辺長さ以下の場合は同時読取可能と判定してステップＳ１３へ移行する。複合長さが短辺長さを超える場合は同時読取不可能と判定してステップＳ１１へ移行する。
Ｓ１１、証明書の同時読取が不可能と判定した制御部１１は、証明書を１枚毎に読取る毎葉読取を実行する。
【００３６】
すなわち、制御部１１は、操作表示部１３の表示画面１３ａに、一つ目の証明書（例えば大きい方）の読取要領およびその証明書の名称等を表示し、顧客がこれに従って表示された証明書をスキャナ１４にセットすると、スキャナ１４により証明書の証明書画像を読取る。
Ｓ１２、証明書画像を読取った制御部１１は、それが２枚目でない場合はステップ１１へ戻って他の証明書画像を読取る。それが２枚目の場合は毎葉読取を終了させてステップＳ１４へ移行する。
【００３７】
Ｓ１３、証明書の同時読取が可能と判定した制御部１１は、２つの証明書を同時に読取る同時読取を実行する。
すなわち、制御部１１は、操作表示部１３の表示画面１３ａに、スキャナ１４の読取面１４ａと相似形状の読取面３４に、健康保険証の３面と免許証との座標領域、および読取要領等を表示した図６に示す同時読取指示画面を表示し、顧客が表示された座標領域に従って持参した２種類の証明書をスキャナ１４の読取面１４ａにセットすると、制御部１１はスキャナ１４により２種類の証明書の証明書画像を同時に読取って複合証明書画像を取得する。
【００３８】
本実施例では、スキャナ１４の読取面１４ａはＡ４判の大きさであるので、同時読取が可能な組合せは、図６に示す保険証３面サイズとカードサイズの組合せ、図７に示すカードサイズ同士の組合せ、図８に示すパスポートサイズとカードサイズの組合せの場合に同時読取が行われる。
なお、図６〜図８に破線で示す矩形は、スキャナ１４のスキャニング範囲を示す。
【００３９】
Ｓ１４、複合証明書画像、または２つの証明書画像を取得した制御部１１は、複合証明書画像を所得した場合は、その複合証明書画像にそれぞれの座標領域を添付した証明書情報を作成し、２つの証明書画像をそれぞれ所得した場合は、それらからなる証明書情報を作成し、作成した証明書情報を、通信ネットワーク３を介してオペレータ端末２へ送信して無人契約機１における証明書画像取得処理を終了し、オペレータ端末２からの審査結果の着信を待って待機する。
【００４０】
ＳＡ３、無人契約機１からの証明書情報の着信を待って待機していたオペレータ端末２の制御部２１は、証明書情報を受信したときにステップＳＡ４へ移行する。証明書情報を受信しない場合は、前記およびステップＳＡ１の待機を継続する。
ＳＡ４、証明書情報を受信した制御部２１は、２つの証明書画像からなる証明書情報を受信した場合は、表示部２３の画面にそれぞれの証明書画像をマルチウィンドウ形式で表示する。
【００４１】
複合証明書画像とそれぞれの座標領域からなる証明書情報を受信した場合は、制御部２１は表示部２３の画面に、複合証明書画像とこれらを切分けて表示するための「切分け」ボタン等が表示された図９に示す複合証明書画像表示画面を表示する。
オペレータが、証明書の詳細画像を表示するために「切分け」ボタンを押下すると、これを検知した制御部２１は、証明書情報の座標領域を基に複合証明書画像を切分け、これらを図９の画面上にマルチウィンドウ形式で表示した図１０に示す切分け証明書画像表示画面を表示する。
【００４２】
２つの証明書画像の表示、または証明書画像表示画面の表示を終えた制御部２１は、オペレータ端末２における証明書画像取得処理を終了し、図示しないホストコンピュータ等との審査処理を開始する。
このようにして、本実施例の無人契約システムにおける証明書画像取得処理が行われた後に、オペレータ端末２の制御部２１は、ホストコンピュータ等からの審査結果を受信すると、その内容を表示部２３に表示し、オペレータがこれを基に取引限度額等を入力部２４により入力すると、入力された取引限度額を添付した取引許可通知を無人契約機１へ送信する。
【００４３】
取引許可通知を受信した無人契約機１の制御部１１は、操作表示部１３に審査が終了した旨や取引限度額等を表示し、顧客がその内容を確認して確認操作を行うと、制御部１１は操作表示部１３に契約書の記入要領や記入後の契約書の送付要領等を表示し、顧客がこれに従って契約書に氏名、住所等を記入して捺印し、これを帳票読取印刷部１５にセットすると、制御部１１は帳票読取印刷部１５によって契約書の画像を読取り、この読取画像をオペレータ端末２へ送信し、オペレータ端末２から契約書確認通知を受信すると、カード発行部１６によって顧客が使用するカードを作成して発行し、オペレータ端末２との通信ネットワーク３を介した通信を切断し、操作表示部１３の表示画面１３ａに取引選択画面を表示して待機する。
【００４４】
このようにして、本実施例の契約処理が行われる。
上記のように、本実施例の証明書画像取得処理においては、スキャナ１４の読取面１４ａの大きさに納まる範囲の複数の証明書は、これらを同時に読取って複合証明書画像を取得し、これをオペレータ端末２で切分けて表示するので、証明書画像の読取り回数を減少させることができ、複数の証明書を必要とする契約処理の取引時間を短縮して無人契約機１の稼動効率を向上させることができる。
【００４５】
また、一般的な証明書を読取るための読取領域である座標領域を自動的に設定するので、一般的な証明書の読取領域を設定するためのオペレータ端末２との交信時間が不要になり、無人契約機１の稼動効率を更に向上させることができる。
以上説明したように、本実施例では、無人契約機が、一般的な証明書に対応させて、その証明書のサイズ情報を格納する証明書サイズ情報格納手段を備え、顧客により入力された複数の証明書の選択入力を受付けたときに、証明書サイズ情報格納手段から、それぞれの証明書のサイズ情報を読出し、これらのサイズ情報を基にそれぞれの証明書画像を読取る座標領域を設定し、設定した座標領域を表示して複数の証明書がスキャナにセットされたときに、複数の証明書の証明書画像を同時に読取って複合証明書画像を取得し、これにそれぞれの座標領域を添付した証明書情報をオペレータ端末へ送信し、オペレータ端末は無人契約機からの証明書情報を受信したときに、受信した証明書情報の複合証明書画像を添付されている座標領域を基にそれぞれの証明書画像に切分けて表示するようにしたことによって、証明書画像の読取り回数を減少させることができると共に、一般的な証明書の読取領域を設定するためのオペレータ端末との交信時間を不要にすることができ、複数の証明書を必要とする契約処理の取引時間を短縮して無人契約機の稼動効率を向上させることができる。
【００４６】
なお、上記実施例においては、サイズ情報は、矩形の短辺および長辺であるとして説明したが、それぞれの証明書サイズを構成する矩形の４隅の座標等であってもよい。
また、上記実施例においては、複合証明書画像は、同時に読取られた２種類の証明書画像により構成するとして説明したが、同時に読取った３種類以上の証明書画像により構成するようにしてもよい。
【００４７】
更に、上記実施例においては、スキャナの読取面の大きさは、Ａ４判の大きさであるとして説明したが、Ｂ４判やＡ３判の大きさ等であってもよい。要は同時に読取ることが必要な証明書の数や大きさに応じて適宜に定めればよい。
更に、上記実施例においては、証明書読取部はスキャナであるとして説明したが、複数の証明書の画像を同時に撮影することが可能なカメラ等であってもよい。
【００４８】
更に、上記実施例においては無人契約機における口座開設の場合を例に説明したが、新規ローンの申込等の他の証明書画像の取得を要する取引の場合も同様である。
更に、無人契約機は金融機関に設置された無人契約機であるとして説明したが、保険業務やクレジット業務、商品購入等に用いる無人契約機であってもよい。要は複数の証明書の証明書画像の取得を要する取引を行う無人契約機であればどのような無人契約機を用いても、本発明と同様の効果を得ることができる。
【図面の簡単な説明】
【００４９】
【図１】実施例のシステム構成を示すブロック図
【図２】実施例の無人契約機の外観を示す斜視図
【図３】実施例の証明書画像取得処理を示す流れ図
【図４】実施例の持参証明書選択画面の表示例を示す説明図
【図５】実施例の証明書サイズ選択画面の表示例を示す説明図
【図６】実施例の同時読取指示画面の表示例を示す説明図
【図７】実施例の同時読取指示画面の他の表示例を示す説明図
【図８】実施例の同時読取指示画面の他の表示例を示す説明図
【図９】実施例の複合証明書画像表示画面の表示例を示す説明図
【図１０】実施例の切分け証明書画像表示画面の表示例を示す説明図
【符号の説明】
【００５０】
１    無人契約機
２    オペレータ端末
３    通信ネットワーク
１１  制御部
１２  記憶部
１３  操作表示部
１３ａ  表示画面
１４  スキャナ
１４ｂ  読取面
１５  帳票読取印刷部
１６  カード発行部
１７  撮影部
１８  顧客通話部
１８ａ  スピーカ
１８ｂ  ハンドセット
２１  制御部
２２  記憶部
２３  表示部
２４  入力部
２５  オペレータ通話部
３１  ボタン表示エリア
３２、３３  表示欄
３４  読取面
【図１】
2008197833.tif 000003
【図２】
2008197833.tif 000004
【図３】
2008197833.tif 000005
【図４】
2008197833.tif 000006
【図５】
2008197833.tif 000007
【図６】
2008197833.tif 000008
【図７】
2008197833.tif 000009
【図８】
2008197833.tif 000010
【図９】
2008197833.tif 000011
【図１０】
2008197833.tif 000012